(57)【要約】【課題】構造簡単で、チェーン素子単体どうしを容易に連結することができ、任意の位置でチェーン素子どうしを容易に連結可能であり、多様な形状で使用可能なチェーン素子とそれを使用したチェーンを提供する。【解決手段】紐１２に所定のピッチで取り付けられたチェーン素子１４であって、一端部には紐（１２）の中心に対して外側方向へ突出する係合凸部１９が形成され、他端部には、係合凸部１９が着脱可能に係止される係合凹部２２を備える。紐１２の直径よりもわずかに大きい厚みを有し、紐１２の長手方向に一致する一端部に係合凸部１９を有する。紐１２の長手方向に一致する他端部には、係合凹部２２を有する。係合凸部１９は、紐１２の長手方向に沿って一定の幅で平行に位置する第１部分１７と、第１部分１７の一端部に設けられ紐１２から離れて側方に突出する第１フック１８を備える。【選択図】図１
0003180432.tif 000002
【実用新案登録請求の範囲】
【請求項１】
紐（１２）に所定のピッチで取り付けられたチェーン素子（１４）であって、一端部には前記紐（１２）の中心に対して外側方向へ突出した係合凸部（１９）が形成され、他端部には前記係合凸部（１９）が着脱可能に係止される係合凹部（２２）が設けられ、前記チェーン素子（１４）どうしが連結可能に設けられたことを特徴とするチェーン素子。
【請求項２】
前記チェーン素子（１４）は、前記紐（１２）の直径よりも大きい厚みを有し、前記紐（１２）の長手方向と平行な方向の形状は、前記紐（１２）の長手方向と一致する一方の端部に前記係合凸部（１９）が設けられ、前記紐（１２）の長手方向と一致する他方の端部に前記係合凹部（２２）が設けられ、
前記係合凸部（１９）には、前記紐（１２）の長手方向に沿って延びた第１部分（１７）と、前記第１部分（１７）の一端部に設けられ前記紐（１２）から離れる方向に側方に突出した第１フック（１８）が形成され、
前記係合凹部（２２）には、前記第１部分（１７）の前記第１フック（１８）とは反対側の端部に設けられ前記紐（１２）と交差する方向に延びた第２部分（２１）と、前記第２部分（２１）の先端から前記紐（１２）と平行に前記第１部分（１７）とは反対側へ延びた第３部分（２３）と、前記第３部分（２３）の先端部分に設けられ前記紐（１２）に向かって突出した第２フック（２０）とが形成されている請求項１記載のチェーン素子。
【請求項３】
前記係合凸部（２８）の側面には膨出部（２９）が形成され、前記係合凹部（３０）には、一対の保持突部（３２）が形成され、前記膨出部（２９）が前記一対の保持突部（３２）に嵌合可能に設けられている請求項１記載のチェーン素子。
【請求項４】
紐（１２）に複数個のチェーン素子（１４）が取り付けられ、前記チェーン素子（１４）の一端部には外側へ突出する係合凸部（１９）が形成され、他端部には前記係合凸部（１９）が着脱可能に係止される係合凹部（２２）が設けられ、前記チェーン素子（１４）が前記係合凸部（１９）と前記係合凹部（２２）の向きを一定にして所定のピッチで連続して取り付けられ、前記チェーン素子（１４）どうしが連結されて成ることを特徴とするチェーン。
【請求項５】
前記複数個のチェーン素子（１４）の前記各係合凹部（２２）には、互いに係合可能なフック（２０）が形成され、前記チェーン素子（１４）の任意の一対の前記チェーン素子（１４）の前記係合凹部（２２）どうしが連結可能に設けられている請求項４記載のチェーン。
【請求項６】
前記紐（１２）は伸縮性を有する請求項３，４又は５記載のチェーン。
【考案の詳細な説明】
【技術分野】
【０００１】
この考案は、物品の連結や、物品の動作の伝達等に用いるチェーン素子とそれを使用したチェーンに関する。
【背景技術】
【０００２】
従来チェーンは、金属製または合成樹脂製で長円の環状体であるチェーン素子が、互いに連なって形成されたものがある。その他に、金属ワイヤ、繊維紐、合成樹脂線等の紐に、同じく金属製あるいは合成樹脂製のボール形状のチェーン素子が等ピッチで連続して固着されて構成されたチェーンもある。これらのチェーンの用途は多様であり、例えば携帯電話の持ち手具、装身用鎖、蛍光燈の点灯操作具、各種インテリアの吊下具やブラインドの開閉操作具などが挙げられる。その使い方は、チェーンをエンドレスに連結したり、或いは直線的に連結して使用したりて、多様であり、チェーンをエンドレスに連結するための、いろいろな工夫も行われている。
【０００３】
例えば、特許文献１の装飾用チェーンとそのモチーフパーツは、複数のモチーフパーツをつなげて鎖状とする装飾用チェーンであり、モチーフパーツにはオス型ジョイントとメス型ジョイントが設けられている。モチーフパーツのオス型ジョイントを、隣接する同形状のモチーフパーツのメス型ジョイントに嵌合することにより連続して繋がり、これを繰り返すと長い装飾用チェーンとなる。装飾用チェーンの一方の端部に位置するモチーフパーツのオス型ジョイントを、他方の端部に位置するモチーフパーツのメス型ジョイントに嵌合させることにより、エンドレスに連結することができる。
【０００４】
また、特許文献２の装身具は、装飾チェーンの一端部にアジャスター用鎖が取り付けられ、装飾チェーンの他端部に丸玉等のデザインパーツが取り付けられている。このデザインパーツは、中にシリコンゴムのような弾性体が挿入され、この弾性体にアジャスター用鎖の直径よりわずかに小径の貫通孔が設けられている。この貫通孔にアジャスター用鎖を挿通して取り付けることにより、装飾チェーンをエンドレスに連結することができる。
【０００５】
その他、特許文献３の長さ調節を可能にした装身具は、第一ボールチェーンと第二ボールチェーンが設けられ、第一ボールチェーンと第二ボールチェーンが相通される割りピンを有し割りピンが相通される球体が連結されて設けられた長さ調節具が設けられている。前記長さ調節具は、割りピンの内径をボールチェーンのボール径よりも小さく設定することにより、前記ボールチェーンと割りピンとの摩擦によって固定されるものである。
【先行技術文献】
【特許文献】
【０００６】
【特許文献１】実登３０７９４５９号公報
【特許文献２】実登３０６３８９０号公報
【特許文献３】実登３０７５４６７号公報
【考案の概要】
【考案が解決しようとする課題】
【０００７】
上記背景技術の特許文献１の場合、オス型ジョイントはモチーフパーツに連結された別部材であり、メス型ジョイントも別部材をモチーフパーツに埋め込んだものであり、構造が複雑で、製造コストがかかるものである。また、長く連なるためには多数のモチーフパーツを連結しなければならず、手間がかかるものである。特許文献２と特許文献３の場合、チェーン以外に連結用のデザインパーツや長さ調整パーツ等、別部材が必要であり、部品点数が多く、コストがかかるものである。外観は、デザインパーツや長さ調整パーツが取り付けられているため装飾的なものとなり、チェーンのみのシンプルなデザインにしたいときは向いていなかった。
【０００８】
この考案は、上記背景技術の問題点に鑑みてなされたものであり、構造簡単で、チェーン素子単体どうしを容易に連結することができ、任意の位置でチェーン素子どうしを容易に連結可能であり、多様な形状で使用可能なチェーン素子とそれを使用したチェーンを提供することを目的とする。
【課題を解決するための手段】
【０００９】
この考案は、紐に所定のピッチで取り付けられたチェーン素子であって、一端部には前記紐の中心に対して外側方向へ突出した係合凸部が形成され、他端部には前記係合凸部が着脱可能に係止される係合凹部が設けられ、前記チェーン素子どうしが連結可能に設けられたチェーン素子である。
【００１０】
前記チェーン素子は、前記紐の直径よりも大きい厚みを有し、前記紐の長手方向と平行な方向の形状は、前記紐の長手方向と一致する一方の端部に前記係合凸部が設けられ、前記紐の長手方向と一致する他方の端部に前記係合凹部が設けられ、前記係合凸部には、前記紐の長手方向に沿って延びた第１部分と、前記第１部分の一端部に設けられ前記紐から離れる方向に側方に突出した第１フックが形成され、前記係合凹部には、前記第１部分の前記第１フックとは反対側の端部に設けられ前記紐と交差する方向に延びた第２部分と、前記第２部分の先端から前記紐と平行に前記第１部分とは反対側へ延びた第３部分と、前記第３部分の先端部分に設けられ前記紐に向かって突出した第２フックとが形成されているものである。
【００１１】
前記係合凸部の側面には膨出部が形成され、前記係合凹部には、一対の保持突部が形成され、前記膨出部が前記一対の保持突部に嵌合可能に設けられているものでもよい。
【００１２】
またこの考案は、紐に複数個のチェーン素子が取り付けられ、前記チェーン素子の一端部には外側へ突出する係合凸部が形成され、他端部には前記係合凸部が着脱可能に係止される係合凹部が設けられ、前記チェーン素子が、前記係合凸部と前記係合凹部の向きを一定にして所定のピッチで連続して取り付けられているチェーンである。前記チェーンは任意の位置で、前記チェーン素子の一方の前記係合凸部を、前記チェーンの他方の前記係合凹部に入れて係止して、環状にして使用することができる。
【００１３】
前記複数個のチェーン素子の前記各係合凹部には、互いに係合可能なフックが形成され、前記チェーン素子の任意の一対の前記チェーン素子の前記係合凹部どうしが連結可能に設けられているものである。
【００１４】
また、前記紐は伸縮性を有するものでもよい。前記チェーン素子は、前記紐に任意の取付手段で固定してもよいし、前記紐に一体的に射出成形してもよい。
【考案の効果】
【００１５】
この考案のチェーン素子とそれを使用したチェーンは、チェーン素子が簡単な構造でチェーン素子単体どうしを連結することができ、それを使用したチェーンは任意の位置で簡易的にチェーン素子どうしを連結して繋ぐことができ、任意の長さの環状にしたり、他部材に巻き回したり、多様な形状で自由に使用することができる。チェーンを連結するための別体の連結部材が不要であり、部品点数が少なくコストが安価である。また、連結部材がないため、チェーン素子が連続するだけのシンプルな外観となる。これにより、日用品、アウトドア用品に使用可能であり、新たな分野での販売が期待できる。
【図面の簡単な説明】
【００１６】
【図１】この考案の一実施形態のチェーン素子とそれを使用したチェーンを示す正面図である。
【図２】この考案の一実施形態のチェーン素子とそれを使用したチェーンを示す部分拡大縦断面図である。
【図３】この考案の一実施形態のチェーン素子を連結した状態を示す正面図である。
【図４】この考案の一実施形態のチェーン素子とそれを使用したチェーンの使用状態を示正面図である。
【図５】この考案の一実施形態のチェーン素子とそれを使用したチェーンの変形例を示す正面図である。
【考案を実施するための形態】
【００１７】
以下、この考案の実施形態について図面に基づいて説明する。図１〜図４はこの考案の一実施形態を示すもので、この実施形態のチェーン１０は、細長い紐１２にチェーン素子１４が、等ピッチで連続して取り付けられている。紐１２は、ニットコードやポリウレタン等の伸縮する糸や生ゴムである。
【００１８】
まず、チェーン素子１４について説明する。チェーン素子１４は、ポリオレフィン等の合成樹脂材料から得られる射出成形物であり、取り付けられる紐１２の直径よりもわずかに大きい厚みを有する板状体であり、厚み方向に沿って一定の形状に設けられ、又は紐１２の直径よりもわずかに大きい直径の筒状に形成されている。チェーン素子１４の、連結方向と平行な方向の形状は、チェーン素子１４の中心に胴体１６が設けられ、胴体１６の、紐１２の長手方向の約半分は、紐１２に沿って一定の幅で平行に取り付けられる第１部分１７である。第１部分１７の先端部分には、左右一対の第１フック１８が設けられている。第１フック１８は、紐１２と交差する方向、例えば直角方向に突出し、先端は胴体１６の第２部分２１の方へ折り曲げられている。第１部分１７と第１フック１８は、同形のチェーン素子１４に連結される係合凸部１９となる。
【００１９】
胴体１６の第１部分１７以外の約半分には、紐１２と交差する方向、例えば直角方向に延びた第２部分２１が形成され、第２部分２１の先端から紐１２と平行に第１部分１７とは反対側へ延びた第３部分２３が設けられている。第３部分２３の先端部分には第２フック２０が設けられている。第２フック２０は、紐１２に向かって突出し紐１２近傍で第１部分１７の方へ向かう湾曲した形状であり、第２フック２０の湾曲した内側の形状は、同形のチェーン素子１４の第１フック１８が嵌合される形状である。第２部分２１、第３部分２３、及び第２フック２０が、同形のチェーン素子１４の係合凸部１９が着脱可能に係止される係合凹部２２となる。係合凹部２２は、係合凸部１９よりもわずかに小さく形成されてもよく、係合凸部１９が嵌合されたときにわずかに外側に弾性変形し、弾性力で係合凸部１９を挟持して係止する。
【００２０】
次に、チェーン素子１４を使用したチェーン１０について説明する。チェーン１０は、紐１２に沿って、複数個のチェーン素子１４が等ピッチで連続して取り付けられ、このときチェーン素子１４、係合凸部１９と係合凹部２２の向きを一定にして取り付けられている。チェーン素子１４は、紐１２と一体に射出成形することにより紐１２に取り付けられている。その他に、図示しない爪等が設けられて紐１２に取り付けられたり、任意の取付手段で固定されたりしてもよい。
【００２１】
次に、チェーン素子１４を使用したチェーン１０の使用方法について説明する。チェーン１０は、使用する目的に合わせて任意の位置で紐１２をカットして、所望の長さにして使用する。図１に示すように環状にして使用する時は、紐１２の切断した部分がチェーン素子１４から突出しないようにチェーン素子１４に沿ってカットする。そして、チェーン１０の一方の端部に位置するチェーン素子１４ａは、係合凸部１９ａが端部に位置し係合凹部２２ａが紐１２側に位置している。チェーン１０の反対の端部に位置するチェーン素子１４ｂは、係合凹部２２ａが端部に位置し係合凸部１９ｂが紐１２側に位置している。そして、図３に示すように、チェーン素子１４ａの係合凸部１９ａを、反対に位置するチェーン素子１４ｂの係合凹部２２ｂに入れて係止する。チェーン素子１４ａ，１４ｂは、厚み方向から互いに押し付けて係止してもよく、厚み方向に互いに直角に交差させて一対の第２フック２０の間に一対の第１フック１８を入れてから係合凸部１９の軸周りに回転させて係止してもよい。係止を解除する時は、逆の手順でチェーン素子１４ａ，１４ｂの係止を解除する。これにより環状が外されて１本の直線にもどる。
【００２２】
次に、チェーン素子１４の端部を他部材２４に巻き回して環状に連結する場合について図４に基づいて説明する。チェーン１０は、その一端部や途中に位置するチェーン素子１４ｄを、チェーン１０の途中の所望の部分や他端部に位置するチェーン素子１４ｃに連結することができる。チェーン素子１４ｃ，１４ｄは、係合凹部２２ｃ，２２ｄが対向するように位置させる。そして、チェーン素子１４ｄの係合凹部２２ｄの第２フック２０ｄを、チェーン素子１４ｃの第２フック２０ｃの内側に入れる。このとき第２フック２０ｄは、第２フック２０ｃと紐１２の間に挟まれて係止される。チェーン素子１４ｃ，１４ｄの連結を解除する時は、逆の手順でチェーン素子１４ｃ、チェーン素子１４ｄの係止を解除する。
【００２３】
この実施形態のチェーン素子１４とそれを使用したチェーン１０によれば、チェーン素子１４が簡単な構造でチェーン素子１４単体どうしを連結することができ、それを使用したチェーン１０は任意の位置で簡易的にチェーン素子１４どうしを連結して繋ぐことができ、任意の長さの環状にしたり、他部材２４に巻き回したり、自由に使用することができる。
【００２４】
この他、チェーン１０の途中のチェーン素子１４に他のチェーン素子１４を連結することができるため、エンドレスな環状とする以外に、直線の一部分を輪にしたり、複数個の環を作ったり、複数個のチェーン１０を連結する等、いろいろな形状にすることができる。チェーン１０を連結するための別体の連結部材が不要であり、部品点数が少なくコストが安価である。また、連結部材がないため、チェーン素子１４が連続するだけのシンプルな外観とすることができる。日用品、アウトドア用品に使用可能であり、新たな分野での販売が期待できる。
【００２５】
この発明の実施形態のチェーン素子１４の形状は、上記以外でもよい。例えば、図５に示すチェーン素子２６は、チェーン素子１４の変形例を示したものであり、チェーン素子１４と同様の部材は同様の符号を付して説明を省略する。チェーン素子２６は、紐１２の直径よりもわずかに大きい厚みを有する板体であり、厚み方向に沿って一定の形状に設けられている。チェーン素子２６の、厚み方向に交差する形状について説明する。チェーン素子２６の中心には胴体１６が設けられ、胴体１６の、紐１２の長手方向の約半分は第１部分１７であり、第１部分１７の先端部分には、紐１２の長手方向に一致して突出した係合凸部２８が形成されている。係合凸部２８には、突出部分が側方に膨らんだ膨出部２９が設けられている。
【００２６】
胴体１６の第１部分１７以外の約半分には第２部分２１が設けられ、第２部分２１の先端部分には、係合凹部３０が設けられている。係合凹部３０は、紐１２の側方に位置して係合凸部２８の膨出部２９が嵌合する凹形状に形成され、係合凸部２８の膨出部２９を保持可能に設けられている。係合凹部３０の先端部には、互いに対向する向きに僅かに突出した保持突部３２が設けられ、一対の保持突部３２の間隔は、膨出部２９の直径より僅かに小さい。これにより、係合凸部２８を係合凹部３０に強い力で押しつけると、一対の保持突部３２が外側に弾性変形し、膨出部２９が一対の保持突部３２間を通過し、その後弾性変形が元に戻り、係合凹部３０から膨出部２９が抜けなくなり、確実に係合凸部２８が係止される。係止を解除する時は、互いに連結している一対のチェーン素子２６を強い力で引き離すことにより、一対の保持突部３２が外側に弾性変形し、膨出部２９が通過して、係止が解除される。
【００２７】
次に、チェーン素子２６を使用したチェーン３４の使用方法について説明する。チェーン３４は、使用する目的に合わせて任意の位置で紐１２をカットして、所望の長さにして使用する。環状にして使用する時は、紐１２の切断した部分がチェーン素子２６から突出しないようにチェーン素子２６に沿ってカットする。そして、チェーン３４の一方の端部に位置するチェーン素子２６ａは、係合凸部２８ａが端部に位置し係合凹部３２ａが紐１２側に位置している。チェーン３４の反対の端部に位置するチェーン素子２６ｂは、係合凹部３０ｂが端部に位置し係合凸部２８ｂが紐１２側に位置している。そして、チェーン素子２６ａの係合凸部２８ａを、反対に位置するチェーン素子２６ｂの係合凹部３０ｂに嵌合する。このとき、一対の保持突部３２ｂは外側に弾性変形し、膨出部２９ａが一対の保持突部３２ｂを通過すると弾性変形がもとに戻り、係合凹部３０から係合凸部２８が抜けなくなり、互いに係合する。係止を解除する時は、逆の手順でチェーン素子２６ａ，２６ｂの係止を解除する。
【００２８】
このチェーン素子２６によっても、チェーン素子１４と同様の効果を有するものである。第１フック２８が円形であり、形状が単純でデザインがすっきりとしたものとなる。ただし、第２フック３０どうしは連結不可能であるため、図４のように、チェーン３４の途中のチェーン素子２６に連結することはできない。
【００２９】
この発明のチェーン素子とそれを使用したチェーンは、上記実施の形態に限定されるものではなく、係合凸部と係合凹部の形状は自由に変更可能であり、互いに確実に係止され、外す際は容易に解除可能なものであればよい。材料は限定されず、加工しやすく耐久性を有するものであればよい。チェーン素子どうしを、別体の連結部材を用いて連結することも可能である。
【符号の説明】
【００３０】
１０  チェーン
１２  紐
１４  チェーン素子
１６  胴体
１７  第１部分
１８  第１フック
１９，２８  係合凸部
２０  第２フック
２１  第２部分
２２，３０  係合凹部
２３  第３部分
【図１】
0003180432.tif 000003
【図２】
0003180432.tif 000004
【図３】
0003180432.tif 000005
【図４】
0003180432.tif 000006
【図５】
0003180432.tif 000007